(57)【要約】【課題】送信された信号のうち、一部の周波数領域のみの信号で再生不可能なことを通知する。【解決手段】検出部２８は、受信した信号に含まれたＴＭＣＣ信号をＤＢＰＳＫ復調し、ＴＭＣＣ信号を検出する。判定部１２は、検出部２８で検出したＴＭＣＣ信号から再生処理可能な信号が送信されているかを示す部分受信フラグを参照し、当該部分受信フラグの値に応じて、再生処理可能かを判定する。制御部１４は、再生処理が不可能であると判定された場合、受信部１０の動作を停止させて低消費電力化をはかる。通知部１６は、再生処理が不可能であると判定された場合、図示しない表示部にその旨を表示してユーザに通知する。【選択図】        図４
2004242190.tif 000002
【特許請求の範囲】
【請求項１】
送信された信号のうち一部の周波数領域の信号を抽出して入力する入力部と、
前記入力した信号から、当該入力した信号に関する情報を検出する検出部と、
前記検出した情報から、前記入力した信号が当該入力した信号だけで単独に処理可能であるか、または前記送信された信号の前記一部の周波数領域とは異なる周波数領域の信号を併せてはじめて処理可能であるかを判定する判定部と、
前記入力した信号だけで処理可能であれば、当該入力した信号を信号処理する信号処理部と、
前記入力した信号だけで処理可能でなければ、当該入力した信号の信号処理を停止するように制御する制御部と、
を含むことを特徴とする受信装置。
【請求項２】
前記制御部は、前記入力した信号だけで処理可能でなければ、前記入力部が、離散的な時間間隔で、送信された信号のうち一部の周波数領域の信号を抽出して入力するように制御することを特徴とする請求項１に記載の受信装置。
【請求項３】
送信された信号のうち一部の周波数領域の信号を抽出して入力する入力部と、
前記入力した信号から、当該入力した信号に関する情報を検出する検出部と、
前記検出した情報から、前記入力した信号が当該入力した信号だけで単独に処理可能であるか、または前記送信された信号の前記一部の周波数領域とは異なる周波数領域の信号を併せてはじめて処理可能であるかを判定する判定部と、
前記入力した信号だけで処理可能であれば、当該入力した信号を信号処理する信号処理部と、
前記入力した信号だけで処理可能でなければ、その旨をユーザに通知する通知部と、
を含むことを特徴とする受信装置。
【請求項４】
送信された信号のうち一部の周波数領域の信号を抽出して入力するステップと、
前記入力した信号から、当該入力した信号に関する情報を検出するステップと、
前記検出した情報から、前記入力した信号が当該入力した信号だけで単独に処理可能であるか、または前記送信された信号の前記一部の周波数領域とは異なる周波数領域の信号を併せてはじめて処理可能であるかを判定するステップと、
前記入力した信号だけで処理可能であれば、当該入力した信号を信号処理するステップと、
前記入力した信号だけで処理可能でなければ、当該入力した信号の信号処理を停止するように制御するステップと、
を含むことを特徴とする受信方法。
【請求項５】
送信された信号のうち一部の周波数領域の信号を抽出して入力するステップと、
前記入力した信号から、当該入力した信号に関する情報を検出するステップと、
前記検出した情報から、前記入力した信号が当該入力した信号だけで単独に処理可能であるか、または前記送信された信号の前記一部の周波数領域とは異なる周波数領域の信号を併せてはじめて処理可能であるかを判定するステップと、
前記入力した信号だけで処理可能であれば、当該入力した信号を信号処理するステップと、
前記入力した信号だけで処理可能でなければ、その旨をユーザに通知するステップと、
を含むことを特徴とする受信方法。
【発明の詳細な説明】
【０００１】
【発明の属する技術分野】
本発明は、デジタル変調された信号を受信して復調する受信技術に関する。特に、直交周波数分割多重方式で変調された信号を復調する受信方法および装置に関する。
【０００２】
【従来の技術】
近年、映像や音声などの情報を伝送するために、高品質な信号の伝送や周波数利用効率の向上に優れた変調方式として、直交周波数分割多重（以下、「ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ」という）方式が検討されている。ＯＦＤＭ方式は、１チャンネルの帯域内に多数のサブキャリアを設ける変調方式で、ゴーストやマルチパスによる妨害に強く、移動体での良好な受信を可能にする。このＯＦＤＭ方式は、映像や音声などの情報化源符号化方式および多重化方式のＭＰＥＧ−２と共に、地上波デジタルテレビジョン放送方式に採用されている。地上波デジタルテレビジョン放送方式による送信装置は、映像や音声などのアナログ信号の情報をデジタル信号に変換して圧縮する符号化部と、圧縮された複数の情報を組合わせる多重化部と、伝送中に生じる誤りを訂正するための訂正符号化部と、時間インタリーブ、周波数インタリーブした後に情報を効率よく伝送するための変調部とから構成される。
【０００３】
また、送信装置は、映像や音声などの情報に加えて、現在伝送に使用されている変調方式、誤り訂正の畳み込み符号化率、時間インタリーブ長などのパラメータを特定するための伝送多重制御（以下、「ＴＭＣＣ：Ｔｒａｎｓｍｉｓｓｉｏｎ  ａｎｄ  Ｍｕｌｔｉｐｌｅｘｉｎｇ  Ｃｏｎｆｉｇｒａｔｉｏｎ  Ｃｏｎｔｒｏｌ」という）信号を挿入する。
【０００４】
地上波デジタルテレビジョン放送方式におけるデータ信号が割当てられたサブキャリアの変調には、ＤＱＰＳＫ（Ｄｉｆｆｅｒｅｎｔｉａｌ  Ｑｕａｄｒａｔｕｒｅ  Ｐｈａｓｅ  Ｓｈｉｆｔ  Ｋｅｙｉｎｇ）、ＱＰＳＫ、１６ＱＡＭ（Ｑｕａｄｒａｔｕｒｅ  Ａｍｐｌｉｔｕｄｅ  Ｍｏｄｕｌａｔｉｏｎ）、６４ＱＡＭの４種類が、さらにＴＭＣＣ信号が割当てられたサブキャリアの変調には、ＤＢＰＳＫ（Ｄｉｆｆｅｒｅｎｔｉａｌ  Ｂｉｎａｒｙ  Ｐｈａｓｅ  ＳｈｉｆｔＫｅｙｉｎｇ）が使用されており、それぞれマッピングの方法が異なる（例えば、特許文献１参照。）。また、ＤＱＰＳＫは差動変調方式、その他は同期変調方式と呼ばれ、各方式において挿入されるパイロット信号の種類や配置位置が異なる。
【０００５】
さらに、地上波デジタルテレビジョン放送方式において、送信装置は、送信すべき信号の全周波数領域を複数の周波数領域に分割し、それぞれの周波数領域で異なる情報を送信し、受信装置は、送信された信号の全周波数領域のうち一部の周波数領域（以下、「部分周波数領域」という）のみを受信して、送信された情報を再生する部分受信方式も提案されている。部分受信方式は、処理対象とする信号が送信された全周波数領域の信号と比較して低速であるため、より低消費電力で実行可能である。
【０００６】
【特許文献１】
特開２００１−１０３０２９号公報
【０００７】
【発明が解決しようとする課題】
部分受信方式において、部分周波数領域の信号の受信処理は、部分受信によって再生処理可能なデータ信号が送信装置から送信されているかにかかわらず、定常的に当該部分周波数領域の信号を受信し、再生処理可能なデータ信号が送信されている場合のみ当該データ信号を再生することによって実行可能である。しかし、再生処理可能なデータ信号が送信されていない場合、ユーザは一定期間、部分周波数領域の信号を受信した後、データ信号が再生されない理由として、伝搬環境が悪いのかあるいは再生処理可能なデータ信号が送信されていないのかを判断する必要がある。さらに、その期間の動作によって、受信装置は無駄な電力を消費する。
【０００８】
本発明はこうした状況に鑑みなされたものであり、その目的は送信された全周波数領域のうちの一部の周波数領域のみの受信で処理可能な信号が存在するかを判断する受信方法および装置を提供することである。また、送信された全周波数領域のうちの一部の周波数領域のみの受信で処理可能な信号が存在しない場合、その旨をユーザに通知する受信方法および装置を提供することである。また、送信された全周波数領域のうちの一部の周波数領域のみの受信で処理可能な信号が存在しない場合、消費電力を低減させる受信方法および装置を提供することである。
【０００９】
【課題を解決するための手段】
本発明のある態様は受信装置である。この装置は、送信された信号のうち一部の周波数領域の信号を抽出して入力する入力部と、入力した信号から、当該入力した信号に関する情報を検出する検出部と、検出した情報から、入力した信号が当該入力した信号だけで単独に処理可能であるか、または送信された信号の一部の周波数領域とは異なる周波数領域の信号を併せてはじめて処理可能であるかを判定する判定部と、入力した信号だけで処理可能であれば、当該入力した信号を信号処理する信号処理部と、入力した信号だけで処理可能でなければ、当該入力した信号の信号処理を停止するように制御する制御部とを含む。
【００１０】
制御部は、入力した信号だけで処理可能でなければ、入力部が、離散的な時間間隔で、送信された信号のうち一部の周波数領域の信号を抽出して入力するように制御してもよい。
以上の装置により、送信された信号のうち、一部の周波数領域の信号のみを受信し、当該受信した信号に含まれた情報を検出して、当該情報に応じて信号処理を停止する。
【００１１】
本発明の別の態様も受信装置である。この装置は、送信された信号のうち一部の周波数領域の信号を抽出して入力する入力部と、入力した信号から、当該入力した信号に関する情報を検出する検出部と、検出した情報から、入力した信号が当該入力した信号だけで単独に処理可能であるか、または送信された信号の一部の周波数領域とは異なる周波数領域の信号を併せてはじめて処理可能であるかを判定する判定部と、入力した信号だけで処理可能であれば、当該入力した信号を信号処理する信号処理部と、入力した信号だけで処理可能でなければ、その旨をユーザに通知する通知部とを含む。
以上の装置により、送信された信号のうち、一部の周波数領域の信号のみを受信し、当該受信した信号に含まれた情報を検出して、当該情報に応じてユーザに通知する。
【００１２】
本発明のさらに別の態様は受信方法である。この方法は、送信された信号のうち一部の周波数領域の信号を抽出して入力するステップと、入力した信号から、当該入力した信号に関する情報を検出するステップと、検出した情報から、入力した信号が当該入力した信号だけで単独に処理可能であるか、または前記送信された信号の前記一部の周波数領域とは異なる周波数領域の信号を併せてはじめて処理可能であるかを判定するステップと、入力した信号だけで処理可能であれば、当該入力した信号を信号処理するステップと、入力した信号だけで処理可能でなければ、当該入力した信号の信号処理を停止するように制御するステップとを含む。
【００１３】
本発明のさらに別の態様も受信方法である。この方法は、送信された信号のうち一部の周波数領域の信号を抽出して入力するステップと、入力した信号から、当該入力した信号に関する情報を検出するステップと、検出した情報から、入力した信号が当該入力した信号だけで単独に処理可能であるか、または送信された信号の前記一部の周波数領域とは異なる周波数領域の信号を併せてはじめて処理可能であるかを判定するステップと、入力した信号だけで処理可能であれば、当該入力した信号を信号処理するステップと、入力した信号だけで処理可能でなければ、その旨をユーザに通知するステップとを含む。
【００１４】
なお、以上の構成要素の任意の組合せや、本発明の構成要素や表現を方法、装置、コンピュータプログラム、コンピュータプログラムを格納した記録媒体、データ構造などの間で相互に置換したものもまた、本発明の態様として有効である。
【００１５】
【発明の実施の形態】
本実施の形態は、地上波デジタルテレビジョン放送方式に関し、送信装置から送信すべき情報をＯＦＤＭ方式によって変調した信号が送信される。さらに、送信された信号には、送信された信号に関する変調方式等のパラメータがＴＭＣＣ信号として含まれる。受信装置は、送信された信号の全周波数領域の一部に相当する部分周波数領域の信号のみを選択的に受信し、当該部分周波数領域の信号に含まれるデータ信号を再生する。本実施の形態の受信装置は、受信した部分周波数領域の信号からまずＴＭＣＣ信号を再生し、当該ＴＭＣＣ信号の内容から、受信した当該部分周波数領域に含まれたデータ信号が再生処理可能であるかを判定する。再生処理可能なデータ信号である場合、当該データ信号も再生するが、再生処理が可能でない場合、受信した信号を再生させないために受信装置のうち停止可能な部分の動作を停止させる。動作が停止された受信装置は、所定の期間経過後に再び受信処理を開始し、受信した信号からＴＭＣＣ信号を再生し、上述の処理を実行する。さらに、再生処理が可能でない旨をユーザに表示やアラームなどによって通知する。
【００１６】
図１（ａ）−（ｄ）は、本実施の形態に係るデータ構造を示す。図１（ａ）は、時間領域における１ＯＦＤＭフレームの構成を示すが、図示の通り１ＯＦＤＭフレームは２０４ＯＦＤＭシンボルによって構成される。通常、動画像などのテレビプログラムは複数のＯＦＤＭフレームによって送信される。図１（ｂ）は、１ＯＦＤＭシンボルの構成を示す。１ＯＦＤＭシンボル中には、テレビプログラムのデータに相当する有効信号と、ガードインターバルに相当する無効信号が含まれている。有効信号の期間が高速フーリエ変換（以下、「ＦＦＴ」という）タイミングに相当する。図１（ｃ）は、図１（ｂ）の有効信号を周波数領域で示す。有効信号には、等しい周波数帯域幅のＯＦＤＭセグメントが１３個及び両端にヌル信号が配置されている。地上波デジタルテレビジョン方式では、１３ＯＦＤＭセグメントすべてに対して、ひとつの詳細な画像のテレビプログラムを割当ててもよく、また、１３ＯＦＤＭセグメントを複数に分割して、それぞれに対して異なるテレビプログラムを割当ててもよい。
【００１７】
特に、１ＯＦＤＭセグメントのみにひとつのテレビプログラムを割当て、受信装置において当該１ＯＦＤＭセグメントのみを受信するサービス形態が部分受信方式である。通常、１ＯＦＤＭセグメントにひとつのテレビプログラムを割当てる場合、中央のＯＦＤＭセグメント、すなわち図１（ｃ）のＯＦＤＭセグメント０を使用する。図１（ｄ）は、ひとつのＯＦＤＭセグメントの構成を示すが、これはＮ個のサブキャリアで構成されている。それぞれのサブキャリアに対して、データセグメントと呼ぶデータ信号のグループやパイロット信号が割当てられている。また、Ｎは、モード１では１０８、モード２では２１６、モード３では４３２とされる。
【００１８】
図２は、ＦＦＴ後の有効信号の構成を示す。この信号には数千のサブキャリアが含まれているが、これらのサブキャリアは、データ信号用のサブキャリアの他、ＴＭＣＣ信号用のサブキャリア、パイロット信号用のサブキャリアなどに分類される。これらのサブキャリアは、前述の通り、１３ＯＦＤＭセグメントに分割され、これら１３ＯＦＤＭセグメントは最大３階層に分割されている。データ信号用のサブキャリアは各階層ごとにＴＭＣＣ信号によって指定された変調方式で変調されており、ＴＭＣＣ信号用のサブキャリアはＤＢＰＳＫで変調されている。
【００１９】
各ＯＦＤＭフレームは、２０４ＯＦＤＭシンボルで構成されているが、さらに各ＯＦＤＭシンボルの有効信号内にデータ信号開始位置を示すパルスがあり、このパルスの位置を基準として予め定められた位置に複数のＴＭＣＣ信号が挿入されている。同一のＯＦＤＭシンボル内の複数のＴＭＣＣ信号はすべて同一の情報を有しているため、部分受信の対象となるＯＦＤＭセグメントにもＴＭＣＣ信号が含まれている。また、各ＯＦＤＭシンボル内には複数のパイロット信号も予め定められた位置に挿入されている。また、ヌル信号は周波数領域の信号の両端に挿入されている。
【００２０】
図３（ａ）−（ｂ）は、ＤＢＰＳＫ変調されたＴＭＣＣ信号のコンスタレーションを示す。ＤＢＰＳＫ変調によると、ＴＭＣＣ信号の各ビットはひとつのＯＦＤＭシンボル内の信号とそのひとつ前のＯＦＤＭシンボル内の信号の間におけるキャリアの位相差として符号化される。具体的には、「０」は０度の位相差として符号化され、「１」は１８０度の位相差として符号化される。「０」のビットを符号化する場合において、ひとつ前のＯＦＤＭシンボル内の信号のＩ軸成分が負のとき、対象とするＯＦＤＭシンボル内の信号のＩ軸成分も負となる。一方、「１」のビットを符号化する場合において、ひとつ前のＯＦＤＭシンボル内の信号のＩ軸成分が負のとき、対象とするＯＦＤＭシンボルの信号のＩ軸成分は正となる。なお、いずれの場合もＱ信号は常に「０」となる。
【００２１】
図４は、実施の形態１に係る受信装置１００の構成を示す。受信装置１００は、受信部１０、判定部１２、制御部１４、通知部１６を含む。受信部１０は、チューナ部１８、Ａ／Ｄ変換部２０、同期部２２、ＦＦＴ部２４、ＡＦＣ２６、検出部２８、信号処理部３０を含み、信号処理部３０は、復調部３２、周波数デインタリーブ部３４、時間デインタリーブ部３６、デマッピング部３８、ビットデインタリーブ部４０、ビタビ復号部４２、バイトデインタリーブ部４４、エネルギー逆拡散部４６、ＲＳ復号部４８、ＭＰＥＧデコード部５０、Ｄ／Ａ変換部５２を含む。
【００２２】
チューナ部１８は、図示しない送信装置において、ＯＦＤＭ変調方式で変調されたＲＦ信号を受信し、ベースバンド信号にダウンコンバートする。ここで受信した信号は、ひとつのＯＦＤＭセグメントのみであるとする。Ａ／Ｄ変換部２０は、アナログ信号をデジタル信号に変換すると共に、ヒルベルト変換などを用いて実軸（以下、「Ｉ軸」という）成分の信号と、虚軸（以下、「Ｑ軸」という）成分の信号を生成する。同期部２２がクロック同期やシンボル同期の同期処理を行う。また、図示しない送信装置と受信装置１００間の周波数発振器の周波数偏差に対して、サブキャリア間隔以内の狭帯域周波数同期も行う。ＦＦＴ部２４は、ＦＦＴによって時間軸の信号を周波数軸の信号に変換する。ＡＦＣ２６は、ＦＦＴされた信号から図示しない送信装置と受信装置１００間の周波数発振器の周波数偏差に対して、サブキャリア間隔単位の広帯域周波数同期を行う。なお、受信装置１００の周波数発振器の安定度が高い場合は、ＡＦＣ２６は不要となる。
【００２３】
検出部２８は、ＴＭＣＣ信号をＤＢＰＳＫ復調し、ＴＭＣＣ信号を検出する。復調部３２は、ＦＦＴ部２４でＦＦＴされたデータ信号をＱＰＳＫ、１６ＱＡＭ、６４ＱＡＭによって復調する。
【００２４】
周波数デインタリーブ部３４では、周波数インタリーブ処理によって周波数方向に並べ替え処理されたサブキャリアをもとの順序に並べ替え、時間デインタリーブ部３６では、時間インタリーブ処理によって時間方向に並べ替え処理されたサブキャリアをもとの順序に並べ替える。さらに、デマッピング部３８では、各変調方式に応じたコンスタレーション上の基準点を求め、データ信号ごとに最も近い基準点を選択し、その基準点を特定する情報を生成する。
【００２５】
データ信号は、ビットデインタリーブ部４０でビットデインタリーブ処理された後、ビタビ復号部４２で軟判定ビタビ復号処理される。さらに、バイトデインタリーブ部４４でバイトデインタリーブ処理され、エネルギー逆拡散部４６でエネルギー逆拡散処理され、ＲＳ復号部４８でリードソロモン符号が復号され、ＭＰＥＧデコード部５０でＭＰＥＧ２が復号された後、Ｄ／Ａ変換部５２でアナログ信号に変換されて出力される。
【００２６】
判定部１２は、検出部２８で検出したＴＭＣＣ信号から再生処理可能な信号が送信されているかを示す部分受信フラグを参照し、当該部分受信フラグの値に応じて、再生処理可能かを判定する。制御部１４は、判定部１２において、再生処理が不可能であると判定された場合、受信部１０の動作を停止させて低消費電力化をはかる。さらに、動作を停止させた後、所定の期間経過後に制御部１４は再び受信部１０の全部あるいは一部を動作させて、ＴＭＣＣ信号の部分受信フラグの値を確認する。通知部１６は、判定部１２において、再生処理が不可能であると判定された場合、図示しない表示部にその旨を表示してユーザに通知する。
【００２７】
本実施の形態におけるデマッピング処理において、デマッピング部３８は、各変調方式に応じたコンスタレーション上の基準点を求め、次にデータ信号ごとに最も近い基準点を選択し、その基準点を特定する情報を最大６ビットのビットデータで表す。そのビットデータは、各ビットをそれぞれ３ビットずつに、計最大１８ビットに拡張される。具体的には、各ビットを、受信データとこれに最も近い基準点とのずれの度合に応じて、「１」に最も確からしい方から「０」に最も確からしい方まで、１１１、１１０、１０１、１００、０１１、０１０、００１、０００と表す。例えば、「０００，０００，０００，０００，１０１，０１１」といった１８ビットのデータで表される。
【００２８】
図５は、部分受信による再生処理の可能性の判定の手順を示す。図４のチューナ部１８に受信した信号が入力される（Ｓ１０）。検出部２８は、受信した信号からＴＭＣＣ信号を読み取り（Ｓ１２）、さらに判定部１２はＴＭＣＣ信号から部分受信フラグを読み取る。その結果、再生処理が可能であれば（Ｓ１４のＹ）、受信部１０は再生処理を実行する（Ｓ１６）。一方、再生処理が可能でなければ（Ｓ１４のＮ）、制御部１４は受信部１０の動作を停止させることによって、省電力モードを実行し、さらに、通知部１６は再生処理が不可能である旨の警告文を表示する（Ｓ１８）。
【００２９】
図６（ａ）−（ｃ）は、受信装置の動作タイミングを示す。図６（ａ）は、ＴＭＣＣ信号に含まれる部分受信フラグの値を示す。部分受信フラグの値は、「０」と「１」の２値であり、図中における「Ｈｉｇｈ」が「１」に対応し、「Ｌｏｗ」が「０」に対応する。さらに、部分受信フラグが「１」の場合は部分受信によって再生処理が可能であり、「０」の場合は再生処理が不可能であることを示す。ここでは、部分受信フラグの値が、「０」から「１」に変化し、さらに「０」に戻っている。
【００３０】
図６（ｂ）は、受信部１０の動作を示す。部分受信フラグが「０」の期間は、離散的な時間間隔で動作して、ＴＭＣＣ信号を検出する。一方、部分受信フラグが「１」の期間は、定常的に動作する。図６（ｃ）は、以上の結果による受信部１０の動作状態を示す。「通常動作」では、受信部１０が受信した信号に対して受信処理を行って、部分受信方式に対応した所定のデータ信号を出力している。一方、「省電力モード」では、受信部１０は基本的に動作しないが、省電力モードの開始から所定期間経過後にＴＭＣＣ信号を受信する。ここでは、受信部１０の動作状態が、「省電力モード」から「通常動作」に遷移した後、さらに「省電力モード」に遷移する。
【００３１】
図７は、ＴＭＣＣ信号のデータ構成を示す。ＴＭＣＣ信号は、１０２ビットの情報で構成されるが、そのうち９０ビットが定義されており、残りの１２ビットは将来の拡張用としてリザーブされている。ＴＭＣＣ信号のうち、Ｂ２７に相当する信号が部分受信フラグであり、図４の判定部１２は、当該部分受信フラグの値に応じて部分受信による再生処理が可能かを判定する。
【００３２】
図８は、ディスプレイ表示を示す。図４の通知部１６は、図８のとおり、再生処理ができない旨をディスプレイ等に表示する。
【００３３】
以上の構成による受信装置１００の動作は以下の通りである。アンテナで受信されたＲＦ信号がチューナ部１８に入力される。Ａ／Ｄ変換部２０は、ベースバンドのデジタル信号に変換し、ＦＦＴ部２４がＦＦＴする。検出部２８は、ＴＭＣＣ信号を検出する。判定部１２は、ＴＭＣＣ信号の中に含まれた部分受信フラグから、部分受信による再生処理可能な信号が送信されていないと判定する。制御部１４は、受信部１０の電源を停止し、通信部１６は、サービスされていない旨をディスプレイに表示する。一定期間経過後、再びチューナ部１８にＲＦ信号が入力される。
【００３４】
以上、本発明を実施の形態をもとに説明した。この実施の形態は例示であり、その各構成要素や各処理プロセスの組合せにいろいろな変形例が可能なこと、またそうした変形例も本発明の範囲にあることは当業者に理解されるところである。そうした変形例を以下挙げる。
【００３５】
本実施の形態では、通知部１６は部分受信による再生処理が不可能な際のユーザへの通知として、その旨をディスプレイへ表示しているが、通知はこれに限られず、例えば、アラームや振動によって行われてもよい。本変形例によれば、より確実にユーザに再生処理が不可能なことを通知できる。つまり、部分受信による再生処理が不可能なことを通知できればよい。
【００３６】
本実施の形態では、制御部１４は受信部１０を停止した後、再びＴＭＣＣ信号を検出しているが、ＴＭＣＣ信号を検出しなくてもよい。その場合、再び受信部１４が受信処理を開始するために、例えば、ユーザによって電源が投入される。本変形例によれば、より消費される電力が低減される。
【００３７】
本実施の形態では、デマッピング部３８によって、デマッピング処理がなされているが、これはプレデマッピング処理に変更されてもよい。プレデマッピング処理とは、時間デインタリーブ処理より前、もしくは周波数デインタリーブ処理より前にデマッピング処理を行うことであり、特開２００１−３２０３４５号公報にて提案されている。プレデマッピング処理では、通常のデマッピングデータと異なり、変調方式に対応するコンスタレーション上の基準点を示す第１のデータと、その基準点とデータとのずれの大きさを示す第２のデータとを有するプレデマッピングデータを生成する。プレデマッピングデータは時間デインタリーブ後にデマッピングデータに変換する必要があるが、デマッピングデータが基準点を示すデータ（最大６ビット）の３倍の情報量（最大１８ビット）を必要とするのに対し、プレデマッピングデータは第１のデータが最大６ビット、第２のデータは常に６ビットとなり、合計最大１２ビットで表すことができる。
【００３８】
例えば、デマッピング処理における「０００，０００，０００，０００，１０１，０１１」の１８ビットのデータは、プレデマッピング処理において「００００１０，１１０，０１１」といった１２ビットのデータで表す。本変形例では、多くのメモリを必要とする周波数デインタリーブ処理、時間デインタリーブ処理前にプレデマッピング処理によってデータのビット幅を減らすことで、メモリ使用量の削減につながる。
【００３９】
【発明の効果】
本発明によれば、送信された全周波数領域のうちの一部の周波数領域のみの受信で処理可能な信号が存在するかを判断できる。また、送信された全周波数領域のうちの一部の周波数領域のみの受信で処理可能な信号が存在しない場合、その旨をユーザに通知できる。また、送信された全周波数領域のうちの一部の周波数領域のみの受信で処理可能な信号が存在しない場合、消費電力を低減できる。
【図面の簡単な説明】
【図１】図１（ａ）−（ｄ）は、実施の形態に係るデータ構造を示す図である。
【図２】実施の形態に係るフーリエ変換後の有効信号の構成を示す図である。
【図３】図３（ａ）−（ｂ）は、ＴＭＣＣ信号のコンスタレーションを示す図である。
【図４】実施の形態に係る受信装置の構成を示す図である。
【図５】図４の部分受信による再生処理の可能性の判定のフローチャートである。
【図６】図６（ａ）−（ｃ）は、受信装置の動作タイミングを示すタイミングチャートである。
【図７】ＴＭＣＣ信号のデータ構成を示す図である。
【図８】図４のディスプレイ表示を示す図である。
【符号の説明】
１０  受信部、  １２  判定部、１４  制御部、  １６  通知部、  １８  チューナ部、  ２０  Ａ／Ｄ変換部、  ２２  同期部、  ２４  ＦＦＴ部、  ２６ＡＦＣ部、  ２８  検出部、  ３０  信号処理部、  ３２  復調部、  ３４  周波数デインタリーブ部、  ３６  時間デインタリーブ部、  ３８  デマッピング部、  ４０  ビットデインタリーブ部、  ４２  ビタビ復号部、  ４４  バイトデインタリーブ部、  ４６  エネルギー逆拡散部、  ４８  ＲＳ復号部、  ５０  ＭＰＥＧデコード部、  ５２  Ｄ／Ａ変換部、  １００  受信装置。
【図１】
2004242190.tif 000003
【図２】
2004242190.tif 000004
【図３】
2004242190.tif 000005
【図４】
2004242190.tif 000006
【図５】
2004242190.tif 000007
【図６】
2004242190.tif 000008
【図７】
2004242190.tif 000009
【図８】
2004242190.tif 000010